(57)【要約】  本発明は、通信ネットワークを介して第１の通信装置から少なくとも１つの別の通信装置に第１のマルチメディア通信信号を通信するための方法、関連システム装置、および、関連変換部に関する。本方法は、第１に、第１の通信装置が第１のマルチメディア通信信号を少なくとも１つの別の通信装置に送信するステップを備え、その通信ネットワークがネットワーク構成要素を備え、マルチメディア通信のためのその方法がさらに、第１の通信装置が、第１のマルチメディア通信信号に加えて、第２の非言語通信信号を前記少なくとも１つの別の通信装置へ送信するステップと、その後に、変換部によって、第２の非言語通信信号の少なくとも一部を前記第１のマルチメディア通信信号をサポートする所定の第３のマルチメディア通信信号に変換するステップとを備える。本方法はさらに、伝送部によって、第１のマルチメディア通信信号に加えて、第３の通信信号を第１の通信装置および別の通信装置のうちの少なくとも１つに送信するステップを備える。
2011529312.tif 000002
【特許請求の範囲】
【請求項１】
通信ネットワーク（ＣＮ）を介して第１の通信装置（ＣＤ１）から少なくとも１つの別の通信装置（ＣＤ２、ＣＤ３）に第１のマルチメディア通信信号を通信する方法であって、
ａ．前記第１の通信装置（ＣＤ１）が、前記第１のマルチメディア通信信号を前記少なくとも１つの別の通信装置（ＣＤ２、ＣＤ３）に送信するステップ
を備える方法において、マルチメディア通信のための前記方法がさらに、
ｂ．前記第１の通信装置（ＣＤ１）が、前記第１のマルチメディア通信信号に加えて、第２の非言語通信信号を前記少なくとも１つの別の通信装置（ＣＤ２、ＣＤ３）へ送信するステップと、
ｃ．変換部（ＴＰ）によって、前記第２の非言語通信信号の少なくとも一部を、前記第１のマルチメディア通信信号をサポートする所定の第３の通信信号に変換するステップと
を備えることを特徴とする、方法。
【請求項２】
ｄ．伝送部（ＧＳＴＰ）によって、前記第１のマルチメディア通信信号に加えて、前記第３の通信信号を前記第１の通信装置（ＣＤ１）および前記別の通信装置（ＣＤ２、ＣＤ３）のうちの少なくとも１つに送信するステップ
をさらに備えることを特徴とする、請求項１に記載の通信する方法。
【請求項３】
前記第２の非言語通信信号の前記少なくとも一部を前記第３の通信信号に変換する前記ステップが、前記第２の非言語通信信号の前記少なくとも一部に対応する少なくとも１つの所定の第３の通信信号に基づくことを特徴とする、請求項１または２に記載の通信する方法。
【請求項４】
前記第２の非言語通信信号の前記少なくとも一部を前記第３の通信信号に変換する前記ステップがさらにユーザの優先に基づくことを特徴とする、請求項１から３のいずれかに記載の通信する方法。
【請求項５】
前記第２の非言語通信信号の前記少なくとも一部を前記第３の通信に変換する前記ステップが、前記通信装置（ＣＤ１、ＣＤ２、ＣＤ３）の能力に基づくことを特徴とする、請求項１から４のいずれかに記載の通信する方法。
【請求項６】
通信ネットワーク（ＣＮ）を介して第１のマルチメディア通信信号を第１の通信装置（ＣＤ１）から少なくとも１つの別の通信装置（ＣＤ２、ＣＤ３）に通信するための通信システムであって、
ａ．前記第１のマルチメディア通信信号を少なくとも１つの別の通信装置（ＣＤ２、ＣＤ３）に送信するように構成された、前記第１の通信装置（ＣＤ１）内の第１のマルチメディア通信信号伝送部
を備える通信システムにおいて、前記通信システムがさらに、
ｂ．前記第１のマルチメディア通信信号に加えて第２の非言語通信信号を前記少なくとも１つの別の通信装置（ＣＤ２、ＣＤ３）へ送信するように構成された、前記第１の通信装置（ＣＤ１）内の送信部と、
ｃ．前記第２の非言語通信信号の少なくとも一部を、前記第１のマルチメディア通信信号をサポートする所定の第３の通信信号に変換するように構成された、変換部（ＴＰ）と
を備えることを特徴とする、通信システム。
【請求項７】
ｄ．前記第１のマルチメディア通信信号に加えて、前記第３の通信信号を前記第１の通信装置（ＣＤ１）および前記別の通信装置（ＣＤ２、ＣＤ３）のうちの少なくとも１つに伝送するように構成された、伝送部（ＧＳＴＰ）
をさらに備えることを特徴とする、請求項６に記載の通信システム。
【請求項８】
通信ネットワーク（ＣＮ）を介して第１の通信装置（ＣＤ１）から少なくとも１つの別の通信装置（ＣＤ２、ＣＤ３）に第１のマルチメディア通信信号を通信するための、通信システム内で使用される、変換部（ＴＰ）であって、前記第２の非言語通信信号の少なくとも一部を前記第１のマルチメディア通信信号をサポートする所定の第３の通信信号に変換するように構成されることを特徴とする、変換部（ＴＰ）。
【請求項９】
請求項８に記載の変換部（ＴＰ）を含むことを特徴とする、ネットワーク構成要素。
【発明の詳細な説明】
【技術分野】
【０００１】
本発明は、請求項１の前文に従って通信する方法、および請求項６の前文に従って通信するためのシステムに関する。
【背景技術】
【０００２】
かかる主題は、たとえば米国特許出願公開第２００４／０１８９４８４号「ＣＯＭＭＵＮＩＣＡＴＩＮＧ  ＡＰＰＡＲＡＴＵＳ  ＦＯＲ  ＤＥＭＯＮＳＴＲＡＴＩＮＧ  Ａ  ＮＯＮ  ＡＵＤＩＯ  ＭＥＳＳＡＧＥ  ＢＹ  ＤＥＣＯＤＥＤ  ＶＩＢＲＡＴＩＯＮＳ」から当技術分野では既に知られている。そこでは、場合によっては音声通信の処理に加えて、非音声メッセージを、即ちテキストメッセージを振動信号に符号化することができる通信方法および関連装置が説明されている。
【０００３】
第１の送信ユーザは、第２の受信ユーザが触覚で非音声メッセージを識別することができるような方法で振動信号に符号化されることができるテキストデータなどのある種の単純な、基本的な表現を生成するために、センサやタッチパネルなどの通信装置の情報インタフェースを使用することができる。
【０００４】
不利には、潜在的言語通信などの第１の通信と第２の非言語通信の間に因果関係、即ち振動信号への非言語信号の符号化、が存在せず、加えて、たとえばメニューからそれを選択する、通信装置のキーボードでテキストをタイプするなどによって、ユーザ自身が通信装置の情報インタフェースを介して非言語通信を生成する必要がある。したがって、第２の非言語通信は、恐らくさらに、潜在的な第１の言語通信から完全に独立しており、したがって潜在的な第１の言語通信をサポートしない。
【先行技術文献】
【特許文献】
【０００５】
【特許文献１】米国特許出願公開第２００４／０１８９４８４号明細書
【発明の概要】
【発明が解決しようとする課題】
【０００６】
本発明の一目的は、前述の知られているタイプの通信する方法を提供することであるが、そこでは第１の通信が第２の追加の通信によってさらによくサポートされる。
【課題を解決するための手段】
【０００７】
本発明によれば、この目的は、請求項１に記載の通信する方法、請求項６に記載の通信するためのシステム、請求項８に記載の変換部、および、請求項９に記載の変換ネットワーク構成要素によって達成される。
【０００８】
実際には、第１の通信装置を用いてこの第１のマルチメディア通信信号に加えて第２の非言語通信信号を少なくとも１つの別の通信装置へ送信すること、および、第２の非言語通信信号の少なくとも一部を第３の所定の通信信号に変換することによって、この第３の所定の信号が第１のマルチメディア通信信号に適合させられ、そして、それが第３の通信信号を用いて、追加の意味、情動および感情のような追加の態様を第１のマルチメディア通信に追加するという意味で、第３の通信信号は前記第１のマルチメディア通信信号をサポートする。
【０００９】
第３の通信信号は、音声、映像、それらの組合せ、または、たとえば第１のマルチメディア通信信号をサポートするようになされた振動信号などの任意のマルチメディア信号でもよい。
【００１０】
第２の非言語信号は、第１の通信装置の触覚センサを指でタップすること、または、モバイルハンドヘルドの動き、たとえば画面上に図を描くなどのタッチのような通信装置のタッチ画面上の任意の入力、を検出するコンパスセンサでもよい。
【００１１】
したがって、生成された第３の所定の通信信号は、第１のマルチメディア通信に最適に適合するユーザ選択マルチメディア信号であるので、第１のマルチメディア通信を最適にサポートする。
【００１２】
ユーザの選択によって、即ち、第３の所定の通信信号が対応する、非言語通信信号を生成することによって、ユーザは、第１の通信装置ＣＤ１のユーザの感情または洞察に従って第１のマルチメディア通信信号を最適サポートする既定のおよび所定の第３の通信信号を選択する。
【００１３】
本発明のもう１つの特徴的な実施形態は、請求項２および請求項７で説明される。
【００１４】
前記第１のマルチメディア通信信号に加えて第１の通信装置および別の通信装置のうちの少なくとも１つに第３のマルチメディア通信信号を送信することが、追加の非言語構成要素がその第１のマルチメディア通信信号に追加されるという点で、サポートされる。
【００１５】
本発明の別の特徴的な実施形態が、請求項３で説明される。
【００１６】
第２の非言語通信信号の少なくとも一部の第３の通信信号への変換が、第２の非言語通信信号の少なくとも一部に対応する少なくとも１つの既定の第３の通信信号に基づく。
【００１７】
第２の非言語通信信号またはその部分を検出するとき、対応する所定の通信信号が、第２の非言語通信信号のそれぞれに関連付けられた少なくとも１つの対応する第３の通信信号をもつ少なくとも１つの第２の非言語通信信号を備える１セットから判定され、そしてその後に、この第２の非言語通信信号またはその部分が対応する所定の第３の通信信号に変換されることができる。
【００１８】
ここで、少なくとも１つの第２の非言語通信信号のそれぞれに関連付けられた少なくとも１つの第３の通信信号をもつ少なくとも１つの第２の非言語通信信号の１セットを含む、データベースが使用されることができる。たとえば、第１の非言語信号が動画をもつある特定の音声に関連付けられ、第２の非言語信号が第２の動画のみと関連付けられ、第３の非言語信号がまたもう１つの音声振動および他の動画と関連付けられるなど。
【００１９】
本発明のもう１つの特徴的な実施形態が、請求項４で説明される。
【００２０】
第２の非言語通信信号の少なくとも一部の第３の通信信号への変換がさらに、ユーザの優先に基づく。
【００２１】
加えて、ユーザについて定義されたユーザプロファイルがあることがあり、第２の非言語通信信号のそれぞれに関連付けられた複数の対応する第３の通信信号をもつ少なくとも１つの第２の非言語通信信号を備えるセットがある場合、そのときユーザプロファイルが、単一の第２の非言語通信信号について定義されたその複数の第３の通信信号から１つの第３の通信信号を判定するために使用される。その後、この第２の非言語通信信号またはその部分が、判定された対応する第３の通信信号に変換されることができる。
【００２２】
本発明の別の特徴的な実施形態が、請求項５で説明される。
【００２３】
前記第２の非言語通信信号の少なくとも一部の前記第３の通信信号への変換のステップは、通信装置（ＣＤ１、ＣＤ２、ＣＤ３）の能力に基づくことができる。
【００２４】
第２の非言語通信信号の少なくとも一部の第３の通信信号への変換が、通信装置の能力に基づく。第２の非言語通信信号を第３の通信信号に変換するステップで、通信装置の能力が検出され、さらに、１つまたは複数の通信装置の検出された能力に基づいて、非言語通信信号が生成される。
【００２５】
特許請求の範囲で使用される、用語「備える」は、その後に記載される意味に制限されるものとして解釈されるべきではないことに留意されたい。したがって、表現「手段ＡおよびＢを備える装置」の範囲は、素子ＡおよびＢのみで構成される装置に限定されてはならない。それは、本発明に関して、その装置の関連する素子のみがＡおよびＢであることを意味する。
【００２６】
同様に、やはり特許請求の範囲で使用される、用語「結合される」は、直接の接続のみに限定されるものとして解釈されるべきではないことに留意されたい。したがって、表現「装置Ｂに結合された装置Ａ」の範囲は、装置Ａの出力が装置Ｂの入力に直接接続された装置またはシステムに限定されてはならない。それは、他の装置または手段を含む経路でもよい経路がＡの出力とＢの入力の間に存在することを意味する。
【００２７】
添付の図面とともに以下の実施形態の説明を参照することによって、本発明の前述のおよび他の目的および特徴はさらに明らかとなり、本発明自体が最もよく理解されることになろう。
【図面の簡単な説明】
【００２８】
【図１】本発明による通信システムの実装形態を表す図である。
【図２】本発明による変換部を含むネットワーク構成要素の機能代表を表す図である。
【発明を実施するための形態】
【００２９】
以下の段落では、図１を参照して、通信システムの実装形態が説明される。第２の段落では、前述の構成要素の間のすべての接続が定義される。
【００３０】
その後、図２に表す前述のシステムのすべての関連機能手段が、すべての相互接続の説明に続いて、説明される。続く段落では、通信システムの実際の実行が説明される。
【００３１】
本発明の通信システムは、互いに通信する、第１の通信装置ＣＤ１、および、少なくとも１つの別の通信装置ＣＤ２、ＣＤ３を含む。かかる通信装置は、マルチメディア機能をもつ任意の移動または固定通信端末でもよく、場合によっては任意の振動信号生成手段と組み合わせたスピーカおよびディスプレイのような、音声−表示手段をもつ任意の移動および固定通信装置でもよい。
【００３２】
システムはさらに、移動または固定電話通信ネットワークなどの通信ネットワーク、ボイスオーバアイピー（ＶｏＩＰ）ネットワーク、または、ＧＳＭ、ＣＤＭＡもしくは３Ｇネットワークを備える。この通信ネットワークは、第１の通信装置ＣＤ１によって送信された第２の非言語通信信号の少なくとも一部を、第１の通信装置ＣＤ１と任意の別の通信装置ＣＤ２、ＣＤ３の間で交換される第１のマルチメディア通信信号をサポートする所定の第３の通信信号に変換するための変換機能を組み入れたネットワーク構成要素ＴＲＮＥも含むことができる。
【００３３】
通信ネットワークは、たとえば無線接続または任意の有線接続を介して、すべての通信装置ＣＤ１、ＣＤ２、ＣＤ３とネットワーク構成要素ＴＲＮＥを結合させる。
【００３４】
さらに、第１の通信装置は、第１の通信装置ＣＤ１にある触覚センサをタップすることによって生成される触覚信号のような非言語信号を変換ネットワーク構成要素ＴＲＮＥに伝送するための非言語通信信号伝送部ＮＶＴＰを備える。別法として、非言語信号は、ハンドヘルド装置に含まれるコンパスセンサによるモバイルハンドヘルドの動きの検出、または、通信装置のタッチ画面へのタッチの検出でもよい。
【００３５】
変換ネットワーク構成要素ＴＲＮＥは、第１の通信装置ＣＤ１によって送信される非言語通信信号を受信することができる非言語信号受信部ＮＶＳＲＰ、および、第２の非言語通信信号の少なくとも一部を、第１の通信装置ＣＤ１と任意の別の通信装置ＣＤ２、ＣＤ３の間で交換される第１のマルチメディア通信信号をサポートする所定の第３の通信信号に変換するように構成された変換部ＴＰをもつ。
【００３６】
さらに、ネットワーク構成要素ＴＲＮＥは、第１のマルチメディア通信信号に加えて、第３の通信信号を第１の通信装置ＣＤ１および別の通信装置ＣＤ２、ＣＤ３のうちの少なくとも１つに伝送するように構成された、信号伝送部ＳＴＰを含む。
【００３７】
加えて、通信装置ＣＤ１に対応するユーザのような通信システムのユーザについてユーザプロファイルを保持、収集、および更新するように構成された、ユーザ優先保持部ＵＰＰがあることもある。このユーザプロファイルは、第２の非言語通信信号の第３の通信信号への変換の種類を判定するために使用されることができる。
【００３８】
第２の非言語通信信号のそれぞれに関連付けられた複数の対応する第３の通信信号をもつ少なくとも１つの第２の非言語通信信号を備えるセットにある場合、そのときユーザプロファイルが、単一の第２の非言語通信信号について定義される複数の第３の通信信号から１つの第３の通信信号を判定するために使用される。その後に、この第２の非言語通信信号またはその部分が、判定された対応する第３の通信信号に変換されることができる。
【００３９】
さらに、そこから変換部ＴＰが、第１の通信装置ＣＤ１によって伝送される入力の第２の非言語通信信号の少なくとも一部に基づいて、１つの第３の通信信号または通信信号の組合せを選択することができる、少なくとも非言語信号を保持するように構成されたデータベースＳＤＢが追加であってもよい。
【００４０】
かかる非言語通信信号は、シーケンスと、装置の振動、タッピング、および動き、またはタッチ画面でのタッチ検出などの関連非言語構成要素とを含み得る。
【００４１】
かかる第３の通信信号は、音声、ビデオ、ＳＭＳ，ＭＭＳ，振動、および光の点滅、ならびに／またはそれらの任意の組合せでもよい。
【００４２】
加えて、変換部は、第３の通信信号が生成されると（いずれの図にも示さず）、それに基づいて１つまたは複数の通信装置の能力を検出する手段を含むことができる。
【００４３】
非言語送信部ＮＶＴＰは、通信装置ＣＤ１の出力端末でもある出力端末をもつ。通信装置ＣＤ１の出力端末は、変換ネットワーク構成要素ＴＲＮＥの入力端末に結合される。変換ネットワーク構成要素ＴＲＮＥの入力端末は、同時に、マルチメディア信号受信部ＭＭＲＰの入力端末でもある。非マルチメディア信号受信部ＭＭＲＰはさらに、非言語信号伝送部ＮＶＴＰの入力端末への出力端末に順に結合された、変換部ＴＰの入力端末への出力端末と結合される。非言語信号伝送部ＮＶＴＰは、同時に変換ネットワーク構成要素ＴＲＮＥの出力でもある出力端末をもつ。信号伝送部ＳＴＰの出力はさらに、別の通信装置ＣＤ２、ＣＤ３のいずれかと結合される。加えて、変換部は、ユーザ優先保持部ＵＰＰの出力端末に結合された入力端末をもち、変換部ＴＰは、信号データベースＳＤＢの入力／出力端末への入力／出力端末と結合される。
【００４４】
本発明の実行を説明するために、移動電話ＣＤ１をもつ第１のユーザが、第２のユーザの固定または移動電話ＣＤ２を呼び出し、接続が移動ネットワークを介して両方の移動電話の間に確立され、通信セッションが開始されると仮定する。両方のユーザがある特定の主題について話し合いを開始し、その結果、音声がネットワークを介して第１の通信装置ＣＤ１から第２の通信装置ＣＤ２に送信される。
【００４５】
別法として、任意の音声信号、ビデオ信号、またはそれらの組合せが、第１の通信装置ＣＤ１から第２の通信装置ＣＤ２に送信されることができる。
【００４６】
加えて、第３の通信装置ＣＤ３またはさらに別の通信装置も前述の通信セッションに関わることができる。
【００４７】
さらに、第１の通信装置ＣＤ１内の伝送部ＮＶＴＰが、第１のマルチメディア通信信号に加えて、第２の非言語通信信号を少なくとも１つの別の通信装置ＣＤ２、ＣＤ３へ送信する。具体的には、たとえば４回タップしたタッピング信号が、別の通信装置の方向に送信される。別法として、非言語通信信号は、コンパスセンサによって検出される第１の通信装置の動作、または、通信装置のタッチ画面のタッチの検出でもよい。
【００４８】
この第２の非言語通信信号、即ち４タップ信号は、変換ネットワーク構成要素ＴＲＮＥに含まれる非言語信号受信部ＮＶＳＲＰによって受信され、第２の非言語通信信号の少なくとも一部を第３の通信信号に変換する変換部ＴＰへと転送される。
【００４９】
変換が、信号データベースＳＤＢに格納された４タップ信号の認識に基づいて行われることができる。別法として、非言語信号は、コンパスセンサによって検出される第１の通信装置（ＣＤ１）の動作、または、通信装置のタッチ画面へのタッチの検出でもよい。
【００５０】
たとえば、第１のユーザが彼の移動電話ＣＤ１を介して、同じく（移動）電話である第２の通信装置ＣＤ２のユーザ２にスリラー小説を語っている。話が進むとき、第２のユーザの（移動）電話で再生されるある種の恐ろしい背景音楽を生成して効果を高めるために、ユーザ１は語るのと同時に（移動）電話をタップしている。タッピング信号（４タップ）は符号化され、非言語信号伝送部ＮＶＴＰおよび非言語信号受信部ＮＶＲＰを介して、変換ネットワーク構成要素内の変換部ＴＰに送信され、そこでタッピングメッセージは期待される恐ろしい背景音楽に変換される。
【００５１】
タッピング信号は、様々な方法で、たとえばタッピングの圧力に基づいてもしくはタッピングの総計に基づいて、または、場合によっては、タッピングのリズムもしくはタッチのその他の知的センシングに基づいて、符号化されることができる。
【００５２】
変換部は、使用可能な４タップ信号があるかどうか信号データベースＳＤＢを探索する。４タップ信号が使用可能である場合、それはデータベース内で対応するおよびリンクされた第３の通信信号を探索する。それが恐ろしい背景音楽になることになっていることが分かる。したがって、「恐ろしい背景音楽」信号が変換で使用され、続いて、恐ろしい背景音楽が音声スピーチ信号とミックスされ、第２のユーザの（移動）電話に送信される。物語の最も怖い瞬間に、第１のユーザは（移動）電話を再びタップする（３タップ信号）。
【００５３】
タッピング信号（３タップ）は、符号化され、非言語信号伝送部ＮＶＴＰおよび非言語信号受信部ＮＶＲＰを介して変換ネットワーク構成要素内の変換部ＴＰに再び送信され、そこでそのタッピングメッセージが、振動プラス「スクリーミングＩＩ」のエピソードに変換される。
【００５４】
タッピング信号は、様々な方法で、たとえば、タッピングの圧力に基づいて、もしくはタッピングの総計に基づいて、または、場合によってはタッピングのリズムもしくはタッチのその他の知的センシングに基づいて、符号化されることができる。
【００５５】
変換部は、使用可能な３タップ信号があるかどうか信号データベースＳＤＢを探索する。３タップ信号が使用可能である場合、それはデータベース内で対応するおよびリンクされた第３の通信信号を探索する。それが振動プラス「スクリーミングＩＩ」のエピソードになることになっていることが分かる。したがって、振動信号プラス「スクリーミングＩＩ」のエピソード信号が変換で使用され、続いて、振動プラス「スクリーミングＩＩ」のエピソードが音声スピーチ信号とミックスされ、信号伝送部ＳＴＰを用いて、第２のユーザの（移動）電話ＣＤ２に送信されることになる。このとき、あなたの友人、第２のユーザは実際に怖がる。
【００５６】
５タップ信号が送信され、４タップ信号だけがエントリをもつと仮定すると、そのとき４タップ信号は第２の非言語信号の少なくとも一部として認識される。５タップ信号は続いて、４タップ信号、「恐ろしい背景音楽」信号、として変換される。
【００５７】
別法として、第３の通信装置ＣＤ３をもつ第３のユーザが前述の同一の通信に関わり、そのとき第２の通信装置ＣＤ２に送信されるすべての信号は同様に第３の通信装置ＣＤ３に送信されることになる。
【００５８】
代替の一例では：第１のユーザが動物園への訪問について語っていて、彼はライオンに言及し、同時にあなたの電話をタップする。変換部ＴＰがタップ信号を認識し、信号データベースＳＤＢに含まれるテーブルでこの信号を探索し、吠えるライオンの音声振動および吠えるライオンの動画のエントリを見つけるとき、自動的に、２つの電話はライオンの音声のように振動を開始し、ライオンの動画が両方の電話に表示される。
【００５９】
信号伝送部ＳＴＰは次に、吠えるライオンの音声の振動および吠えるライオンの動画を第１の通信装置ＣＤ１および第２の通信装置ＣＤ２に、そして場合によってはその通信セッションに関わる任意の別の通信装置に伝送する。
【００６０】
吠えるライオンの音声の振動および吠えるライオンの動画を含む第３の通信信号の第１の通信装置ＣＤ１、第２の通信装置ＣＤ２への、および場合によっては任意の別の通信装置ＣＤ３への伝送は、第１の通信装置ＣＤ１から第２の通信装置ＣＤ２および場合によっては任意の別の通信装置ＣＤ３に伝送される第１のマルチメディア通信信号、この場合にはスピーチ、に加えて行われる。
【００６１】
加えて、変換部ＴＰは、ユーザの優先に基づいて、前記第１のマルチメディア通信信号の少なくとも一部の前記非言語通信信号への変換を処理する。
【００６２】
たとえば、第２の「ライオン」の例で、第２の通信装置ＣＤ２のユーザが通信中にいかなる振動も受信しないことを望む。それに応じて、第２のユーザのプロファイルが構成される。したがって、第２の通信装置ＣＤ２は、吠えるライオンの動画のみを受信することになる。
【００６３】
加えて、変換部ＴＰは、前記通信装置ＣＤ１、ＣＤ２、ＣＤ３の能力に基づいて、前記第１のマルチメディア通信信号の少なくとも一部の前記非言語通信信号への変換を処理する。
【００６４】
変換ネットワーク構成要素ＴＲＮＥの変換部ＴＰが自動的に移動通信装置の能力を検出し、受け入れられることができる対応する手段に送信者情報を変換する。
【００６５】
再び第２の「ライオン」の例を取る。変換部ＴＰが、第２の通信装置（ＣＤ２）がその画面にフラッシュコンテンツを表示する能力がないことを検知する。したがって、それは第２の通信装置ＣＤ２に振動信号のみを送信する。
【００６６】
変換部機能は通信ネットワーク内、即ち通信ネットワークのネットワーク構成要素内に位置する、で開示されているが、意味される変換部機能が、別法として、通信ネットワークの外側、何らかのネットワーク管理機能内もしくはユーザの敷地に、または通信装置内に局所的に位置し得ることに留意されたい。
【００６７】
最後の注釈は、本発明の実施形態が機能ブロックに関して前述されているということである。前述のこれらのブロックの機能的な説明から、これらのブロックの実施形態がよく知られている電子素子でどのようにして製作されることができるかが電子装置を設計する当業者には明らかとなろう。したがって、機能ブロックの内容の詳細な構造は与えられていない。
【００６８】
本発明の原理は特定の装置に関して上記に説明されているが、この説明が単に例としてであり、添付の特許請求の範囲で定義されるような本発明の範囲への制限としてではないことが明らかに理解されよう。
【図１】
2011529312.tif 000003
【図２】
2011529312.tif 000004
【国際調査報告】
2011529312.tif 000005
2011529312.tif 000006